(57)【要約】【課題】自己の管理下にあるか否かに関わらず、同一の施工現場で作業する複数の作業機械の位置情報を確認することができる管理装置、施工管理システム、および位置情報管理方法を提供する。【解決手段】管理装置は、施工現場に関する作業を示すチケットを発行するチケット発行部と、チケットを取得した通信端末の位置情報を取得する位置情報取得部と、位置情報取得部が取得した位置情報のうち、同一の施工現場に関するチケットを選択したそれぞれの通信端末の位置情報を出力する出力部とを備える。【選択図】図３
2018026073.tif 000002
【特許請求の範囲】
【請求項１】
施工現場に関連付けられたチケットを発行するチケット発行部と、
前記チケットを取得した通信端末の位置情報を取得する位置情報取得部と、
前記位置情報取得部が取得した前記通信端末の前記位置情報を出力する出力部と
を備える管理装置。
【請求項２】
前記施工現場は、積込場所および荷卸場所を含み、
前記出力部は、前記チケットを取得したそれぞれの通信端末の位置情報と、前記積込場所および前記荷卸場所の位置情報とを出力する
請求項１に記載の管理装置。
【請求項３】
前記チケット発行部は、作業種別ごとに前記チケットを発行し、
前記作業種別は、少なくとも運搬車および建設機械を含む
請求項１または請求項２に記載の管理装置。
【請求項４】
前記チケットである第１のチケットを取得した第１の通信端末からメッセージを受信し、前記第１のチケットと同一の施工現場に関連付けられた前記チケットである第２のチケットを取得した第２の通信端末に前記メッセージを送信するメッセージ管理部
を備える請求項１から請求項３の何れか１項に記載の管理装置。
【請求項５】
グループに関連付けられたチケットを発行するチケット発行部と、
前記チケットを取得した通信端末の位置情報を取得する位置情報取得部と、
前記位置情報取得部が取得した前記通信端末の前記位置情報を出力する出力部と
を備える管理装置。
【請求項６】
前記管理装置が出力した前記位置情報に基づいて、地図画像を生成するマップ生成部を備える
請求項１から請求項５の何れか１項に記載の管理装置。
【請求項７】
前記地図画像において、作業種別ごとに異なる態様にて前記通信端末の位置が記される
請求項６に記載の管理装置。
【請求項８】
施工現場に関連付けられた運搬車と、
前記運搬車に備えられる第１の通信端末と、
前記施工現場に関連付けられた建設機械と、
前記建設機械に備えられる第２の通信端末と、
前記運搬車および前記建設機械に対応するチケットを発行するチケット発行部と、
前記チケットに基づいて、前記第１の通信端末および前記第２の通信端末の位置情報を取得する位置情報取得部と、
前記位置情報取得部が取得した前記位置情報に基づいて前記第１の通信端末および前記第２の通信端末の位置が記した地図画像を表示する表示部と
を備える施工管理システム。
【請求項９】
施工現場に関連付けられたチケットを発行することと、
前記チケットを取得した通信端末の位置情報を取得することと、
取得した前記通信端末の前記位置情報を、前記通信端末に表示させることと
を含む位置情報管理方法。
【請求項１０】
グループに関連付けられたチケットを発行することと、
前記チケットを取得した通信端末の位置情報を取得することと、
取得した前記通信端末の前記位置情報を、前記通信端末に表示させることと
を含む位置情報管理方法。
【発明の詳細な説明】
【技術分野】
【０００１】
本発明は、管理装置、施工管理システム、および位置情報管理方法に関する。
【背景技術】
【０００２】
特許文献１には、利用者が自己の管理下にある作業機械を管理システムに登録することで、管理対象の作業機械の位置情報を地図上に表示する技術が開示されている。
【先行技術文献】
【特許文献】
【０００３】
【特許文献１】特開２００２−９１５４７号公報
【発明の概要】
【発明が解決しようとする課題】
【０００４】
施工現場においては、複数の事業者が施工作業を行うことが少なくない。例えば、施工現場において、盛土施工および掘削施工を行う事業者と、土砂の運搬を行う事業者とが異なることがある。管理システムにおいてある施工現場で動作する作業機械の位置情報を確認する場合、予め複数の事業者が管理する作業機械の情報を登録しておく必要がある。また、ある施工現場においては、日ごとに異なる事業者が作業する可能性もある。そのため、施工現場で作業する全ての作業機械の情報を管理システムに登録することは現実的でないことがある。
【０００５】
本発明の態様は、自己の管理下にあるか否かに関わらず、同一の施工現場で作業する複数の作業機械の位置情報を確認することができる管理装置、施工管理システム、および位置情報管理方法を提供することを目的とする。
【課題を解決するための手段】
【０００６】
本発明の第１の態様によれば、管理装置は、施工現場に関連付けられたチケットを発行するチケット発行部と、前記チケットを取得した通信端末の位置情報を取得する位置情報取得部と、前記位置情報取得部が取得した前記通信端末の前記位置情報を出力する出力部とを備える。
【０００７】
本発明の第２の態様によれば、管理装置は、グループに関連付けられたチケットを発行するチケット発行部と、前記チケットを取得した通信端末の位置情報を取得する位置情報取得部と、前記位置情報取得部が取得した前記通信端末の前記位置情報を出力する出力部とを備える。
【０００８】
本発明の第３の態様によれば、施工管理システムは、施工現場に関連付けられた運搬車と、前記運搬車に備えられる第１の通信端末と、前記施工現場に関連付けられた建設機械と、前記建設機械に備えられる第２の通信端末と、前記運搬車および前記建設機械に対応するチケットを発行するチケット発行部と、前記チケットに基づいて、前記第１の通信端末および前記第２の通信端末の位置情報を取得する位置情報取得部と、前記位置情報取得部が取得した前記位置情報に基づいて前記第１の通信端末および前記第２の通信端末の位置が記した地図画像を表示する表示部とを備える。
【０００９】
本発明の第４の態様によれば、位置情報管理方法は、施工現場に関連付けられたチケットを発行することと、前記チケットを取得した通信端末の位置情報を取得することと、取得した前記通信端末の前記位置情報を、前記通信端末に表示させることとを含む。
【００１０】
本発明の第５の態様によれば、位置情報管理方法は、グループに関連付けられたチケットを発行することと、前記チケットを取得した通信端末の位置情報を取得することと、取得した前記通信端末の前記位置情報を、前記通信端末に表示させることとを含む。
【発明の効果】
【００１１】
上記態様のうち少なくとも１つの態様によれば、自己の管理下にあるか否かに関わらず、同一の施工現場で作業する複数の作業機械の位置情報を確認することができる管理装置、施工管理システム、および位置情報管理方法が提供される。
【図面の簡単な説明】
【００１２】
【図１】第１の実施形態に係る施工管理システムの構成を示す概略図である。
【図２】第１の実施形態に係る施工管理システムによって生成される地図画像の一例を示す図である。
【図３】第１の実施形態に係るサーバ装置の構成を示す概略ブロック図である。
【図４】第１の実施形態に係る通信端末の構成を示す概略ブロック図である。
【図５】第１の実施形態に係るサーバ装置による作業チケット発行処理を示すフローチャートである。
【図６】第１の実施形態に係る施工管理システムによる作業チケット取得時の処理を示すシーケンス図である。
【図７】第１の実施形態に係るサーバ装置によるマイマップに関するマップチケット発行処理を示すフローチャートである。
【図８】第１の実施形態に係る施工管理システムによるマイマップに関するマップチケット入力時の処理を示すシーケンス図である。
【図９】第１の実施形態に係る施工管理システムによる位置情報更新処理を示すシーケンス図である。
【図１０】第１の実施形態に係る施工管理システムによる地図画像の表示処理を示すシーケンス図である。
【図１１】第１の実施形態に係る施工管理システムによる個別メッセージの送受信処理を示すシーケンス図である。
【発明を実施するための形態】
【００１３】
〈第１の実施形態〉
《施工管理システム》
図１は、第１の実施形態に係る施工管理システムの構成を示す概略図である。
施工管理システム１は、複数の通信端末２０と、サーバ装置１０とを備える。複数の通信端末２０は、施工管理システム１による管理の対象となる建設機械Ｍ１または運搬車Ｍ２に備えられる。建設機械Ｍ１および運搬車Ｍ２は、施工現場において用いられる車両型の機械である作業機械の一例である。通信端末２０は、建設機械Ｍ１または運搬車Ｍ２の内部に設置されてもよい。通信端末２０は、建設機械Ｍ１または運搬車Ｍ２の操縦者によって所持されてもよい。通信端末２０は、施工現場の管理者Ｍ３によって所持されてもよい。
【００１４】
通信端末２０としては、例えば、携帯電話、スマートフォン、携帯型コンピュータ、車載コンピュータなどを用いることができる。通信端末２０は、作業機械Ｍ１又は運搬車Ｍ２に搭載される装置であってもよい。サーバ装置１０は、管理装置の一例である。通信端末２０は、管理者Ｍ３が施工現場から離れたオフィスにて使用するパーソナルコンピュータであってもよい。以下、建設機械Ｍ１に備えられる通信端末２０を通信端末２０−１という。運搬車Ｍ２に備えられる通信端末２０を通信端末２０−２という。管理者Ｍ３が所持する通信端末２０を通信端末２０−３という。事務所内に設けられた通信端末２０を通信端末２０−４という。
建設機械Ｍ１とは、ある施工現場の積込場所Ｐ１（土砂積載位置など）または荷卸場所Ｐ２（土砂投下位置など）において稼働し、盛土作業または掘削作業を行う車両である。建設機械Ｍ１の例としては、油圧ショベル、ブルドーザー、ホイールローダーなどが挙げられる。運搬車Ｍ２とは、積込場所Ｐ１と荷卸場所Ｐ２との間で土砂を運搬する車両である。運搬車Ｍ２の例としては、ダンプトラックなどが挙げられる。積込場所Ｐ１および荷卸場所Ｐ２は、作業区域の一例である。
【００１５】
施工管理システム１は、複数の施工現場で稼働する建設機械Ｍ１および運搬車Ｍ２の位置情報を管理する。具体的には、施工管理システム１は、同一の施工現場で稼働する建設機械Ｍ１および運搬車Ｍ２の位置を記した地図画像Ｄを、当該施工現場で稼働する建設機械Ｍ１、運搬車Ｍ２、および管理者Ｍ３の通信端末２０（通信端末２０−１、通信端末２０−２、通信端末２０−３、通信端末２０−４）に表示させる。
【００１６】
図２は、第１の実施形態に係る施工管理システムによって生成される地図画像の一例を示す図である。
通信端末２０は、サーバ装置１０から取得した情報に基づいて図２に示すような地図画像を生成し、当該地図画像を含む地図画面を表示する。図２に示すように、地図画像Ｄには、背景地図画像と、施工現場の積込場所Ｐ１および荷卸場所Ｐ２を示すアイコンと、当該施工現場で稼働する建設機械Ｍ１および運搬車Ｍ２の位置および進行方向を示すアイコンとが表示される。また、建設機械Ｍ１および運搬車Ｍ２のアイコンを選択すると、当該建設機械Ｍ１に関する情報（例えば、名前、会社名、メッセージ機能のショートカットなど）が格納されたバルーンＢが表示される。図２に示すように、建設機械Ｍ１と運搬車Ｍ２とは異なる態様にて表示される。なお、施工現場は、１つの領域から構成されていてもよいし、複数の離れた領域を含むように構成されていてもよい。
【００１７】
《サーバ装置》
図３は、第１の実施形態に係るサーバ装置の構成を示す概略ブロック図である。
サーバ装置１０は、プロセッサ１１、メインメモリ１２、ストレージ１３、通信部１４を備える。ストレージ１３は、サーバ側施工管理プログラムを記憶する。プロセッサ１１は、サーバ側施工管理プログラムをストレージ１３から読み出してメインメモリ１２に展開し、サーバ側施工管理プログラムに従った処理を実行する。通信部１４としては、ネットワークカードなどを用いることができる。
【００１８】
ストレージ１３は、端末情報記憶部１３１、現場情報記憶部１３２、マップチケット記憶部１３３、作業チケット記憶部１３４としての記憶領域を有する。
【００１９】
端末情報記憶部１３１は、通信端末２０に関する情報を記憶する。具体的には、端末情報記憶部１３１は、端末ＩＤ、位置情報、名前、会社名、およびその他の情報を関連付けて記憶する。端末ＩＤは、通信端末２０を識別する情報である。端末ＩＤとしては、契約者固有ＩＤ、電話番号、メールアドレス、通信端末２０のＭＡＣアドレス、製造番号、サーバ装置１０によって付された固有番号など、通信端末２０を特定できる情報であれば、どのような情報が用いられてもよい。
【００２０】
位置情報は、ＧＮＳＳ（Global Navigation Satellite System）などによって取得された通信端末２０の位置を示す情報である。位置情報は、通信端末の進行方向を含む。なお、通信端末２０の進行方向は、例えば得られた位置情報の時間的な推移に基づいて求めることができる。名前、会社名、およびその他の情報は、通信端末２０の所有者または施工管理システム１の契約者に関する情報であって、予め通信端末２０を介してサーバ装置１０に登録されたものである。
【００２１】
現場情報記憶部１３２は、施工現場に関する情報を記憶する。具体的には、現場情報記憶部１３２は、現場ＩＤ、積込場所Ｐ１および荷卸場所Ｐ２を関連付けて記憶する。現場ＩＤは、施工現場を識別する情報である。現場ＩＤとしては、現場ごとに設定される固有番号、地名などの固有名称、住所など、施工現場を特定できる情報であれば、どのような情報が用いられてもよい。
【００２２】
マップチケット記憶部１３３は、マイマップと通信端末２０の割り当てを示すチケットに関するチケット（以下、マップチケットともいう）を記憶する。マイマップとは、通信端末２０（親端末）ごとにカスタマイズ可能なマップであって、任意の通信端末２０（子端末）の位置情報を記すことができるマップである。チケットとは、任意の通信端末２０により何らかのグループ（例えば、マイマップのグループ、施工現場のグループなど）を形成するための情報である。そのグループを形成するために、チケットコードが用いられる。チケットコードは、例えばワンタイムパスワードでもよく、４桁の数字などが用いられる。
【００２３】
マップチケット記憶部１３３は、チケットコードと、親端末ＩＤと、子端末ＩＤと、有効期限とを関連付けて記憶する。チケットコードは、マップチケットを識別する情報である。親端末ＩＤは、マイマップのカスタマイズを行う権限を有する通信端末２０の端末ＩＤである。子端末ＩＤは、マイマップに位置情報を記される通信端末２０の端末ＩＤである。マップチケットは、グループ（マイマップ）に関連付けられたチケットの一例である。
【００２４】
作業チケット記憶部１３４は、施工現場における作業と作業者との割り当ての関係を示すチケット（以下、作業チケットともいう）に関する情報を記憶する。作業チケットは、作業種別によってそれぞれ別のチケットとして用意される。つまり、作業チケット記憶部１３４は、同一の施工現場に係るチケットについて、建設機械Ｍ１用のチケット、運搬車Ｍ２用のチケットを、それぞれ別個に記憶する。例えば、管理者Ｍ３が、通信端末２０−３を用いて作業種別ごとにチケットを用意することができる。なお、管理者Ｍ３は、管理者Ｍ３用のチケットを用意してもよい。
【００２５】
具体的には、作業チケット記憶部１３４は、現場ＩＤ、作業種別、チケットコード、チケット枚数、端末ＩＤ、有効期限を関連付けて格納する。作業種別は、チケットの対象が運搬車Ｍ２か建設機械Ｍ１か管理者Ｍ３かのいずれであるかを示す情報である。作業種別が運搬車Ｍ２を示すチケットは、運搬車用チケットの一例である。作業種別が建設機械Ｍ１を示すチケットは、建設機械用チケットの一例である。作業種別が管理者Ｍ３を示すチケットは、管理者用チケットの一例である。
【００２６】
チケットコードは、例えば作業チケットを識別する情報である。通信端末２０に正しいチケットコードが入力されることで、その通信端末２０が施工現場に関連付けられる。チケット枚数は、作業種別ごとに必要な車両の台数を設定するための数値である。例えば、ある施工現場において５台の運搬車Ｍ２が必要であれば、管理者Ｍ３は、運搬車Ｍ２用チケットのチケット枚数を「５」に設定する。有効期限は、チケットが示す作業の有効期限を示す情報である。内容は、チケットが示す作業またはグループの内容を示す情報である。
【００２７】
プロセッサ１１は、サーバ側施工管理プログラムを実行することで、情報収集部１１１、チケット管理部１１２、チケットコード受信部１１３、登録通知送信部１１４、マップ要求受信部１１５、マッピング情報生成部１１６、マッピング情報送信部１１７として機能する。
【００２８】
情報収集部１１１は、通信端末２０から端末ＩＤ、位置情報、名前、会社、およびその他の情報を収集し、収集した情報を端末情報記憶部１３１に記憶させる。情報収集部１１１は、施工現場に関連付けられた運搬車Ｍ２から位置情報を取得する位置情報取得部の一例である。
【００２９】
チケット管理部１１２は、利用者（例えば、管理者Ｍ３）から施工に関する情報（現場ＩＤ、作業種別等）および作業チケットの発行要求（枚数、有効期限等）の入力を受け付け、チケットコードを有する作業チケットを発行する。チケット管理部１１２は、利用者からマップチケットの発行要求の入力を受け付け、チケットコードを有するマップチケットを発行する。チケットの発行の例としては、通信部１４を介してチケットコードを、チケットの発行要求元である通信端末２０−３、通信端末２０−４に送信することが挙げられる。チケット管理部１１２は、発行したチケットの情報をマップチケット記憶部１３３または作業チケット記憶部１３４に記録する。チケット管理部１１２は、後述するチケットコード受信部１１３が受信したチケットコードと、すでにチケット記憶部１３３に記憶されているチケットコードとを比較し、一致している場合に、チケットコードと併せて送信される端末ＩＤをチケット記憶部１３３に格納する。チケット管理部１１２は、チケット発行部の一例である。
【００３０】
チケットコード受信部１１３は、通信端末２０−１、通信端末２０−２にてチケットコードが入力された場合に、通信部１４を介して当該通信端末２０−１、通信端末２０−２から、少なくとも端末ＩＤとチケットコードを受信する。チケットコード受信部１１３は、受信したチケットコード及び端末ＩＤをチケット管理部１１２に出力する。
登録通知送信部１１４は、通信部１４を介してチケットコードの送信元の通信端末２０−１、通信端末２０−２に、チケットの登録の可否を示す登録通知を送信する。
【００３１】
マップ要求受信部１１５は、通信端末２０からマッピング情報の送信を要求するマップ要求を受信する。マップ要求には、現場マップを要求するものと、マイマップを要求するものとがある。現場マップとは、一の施工現場で稼働する建設機械Ｍ１および運搬車Ｍ２の位置情報、積込場所Ｐ１および荷卸場所Ｐ２を記した地図画像である。マイマップとは、上述のとおり通信端末２０ごとにカスタマイズ可能なマップであって、任意の通信端末２０の位置情報を記すことができるマップである。
【００３２】
マップ要求には、マップの種別（現場マップまたはマイマップ）とマップを要求する通信端末の端末ＩＤとが含まれる。マップ要求は、例えばＵＲＬ（Uniform Resource Locator）の形式でマップの種別および端末ＩＤを指定するＨＴＴＰリクエストであってもよい。具体的には、ＨＴＴＰリクエストのＧＥＴメソッドまたはＰＯＳＴメソッドにて指定されるパラメータにマップの種別および端末ＩＤを格納することで、マップ要求を生成することができる。
【００３３】
マッピング情報生成部１１６は、マップ要求受信部１１５がマップ要求を受信した場合に、端末情報記憶部１３１、現場情報記憶部１３２、マップチケット記憶部１３３および作業チケット記憶部１３４を参照してマッピング情報を生成する。マッピング情報とは、地図画像Ｄの生成に用いられる、建設機械Ｍ１または運搬車Ｍ２に備えられる通信端末２０−１、通信端末２０−２の位置情報を含む情報である。
【００３４】
マッピング情報送信部１１７は、マッピング情報生成部１１６が生成したマッピング情報をマップ要求の送信元の通信端末２０に送信する。マッピング情報送信部１１７は、同一の施工現場に関するチケットを選択したそれぞれの通信端末２０の位置情報を出力する出力部の一例である。
【００３５】
メッセージ管理部１１８は、通信端末２０間のメッセージ（電子メール、ボイスメッセージなど）を中継する。メッセージ管理部１１８は、ある通信端末２０からメッセージを受信し、当該通信端末２０と同一の施工現場に関連付けられたチケットを取得した他の通信端末２０にメッセージを送信する。
【００３６】
《通信端末》
図４は、第１の実施形態に係る通信端末の構成を示す概略ブロック図である。
通信端末２０（通信端末２０−１、通信端末２０−２、通信端末２０−３、通信端末２０−４）は、プロセッサ２１、メインメモリ２２、ストレージ２３、入力部２４、表示部２５、通信部２６、ＧＮＳＳ受信部２７を備える。ストレージ２３は、端末側施工管理プログラムを記憶する。プロセッサ２１は、端末側施工管理プログラムをストレージ２３から読み出してメインメモリ２２に展開し、端末側施工管理プログラムに従った処理を実行する。入力部２４としては、タッチパネル、キーボード、テンキー、マウスなどを用いることができる。表示部２５としては、タッチパネル、液晶ディスプレイ、有機ＥＬ（Electroluminescence）ディスプレイなどを用いることができる。通信部２６としては、ネットワークカードなどを用いることができる。ＧＮＳＳ受信部２７は、人工衛星からＧＮＳＳ信号を受信する。受信したＧＮＳＳ信号は、位置情報の特定に用いられる。
【００３７】
ストレージ２３は、端末情報記憶部２３１および作業チケット記憶部２３２としての記憶領域を有する。
端末情報記憶部２３１は、端末ＩＤ、ならびに利用者の氏名、会社名、およびその他の情報を記憶する。利用者は、端末情報記憶部２３１が記憶する氏名、会社名、およびその他の情報を書き換えることができる。
【００３８】
作業チケット記憶部２３２は、利用者によって入力された施工現場に係るチケットの情報を記憶する。具体的には、作業チケット記憶部２３２は、チケットコード、現場ＩＤ、作業種別、および有効期限を関連付けて記憶する。作業チケット記憶部２３２は、利用者が従事する作業の候補として、１以上のチケットの情報を記憶する。
マップ記憶部２３３は、現場マップおよびマイマップに係る地図画像のベースとなる背景地図画像を記憶する。背景地図画像は、予め記憶されたものであっても、外部サービスから取得されたものであってもよい。
【００３９】
プロセッサ２１は、端末側施工管理プログラムを実行することで、表示制御部２１１、チケットコード入力部２１２、チケット登録部２１３、登録通知受信部２１５、位置特定部２１６、位置情報送信部２１７、マップ要求入力部２１８、マップ要求送信部２１９、マッピング情報受信部２２０として機能する。
【００４０】
表示制御部２１１は、チケットコードの入力画面、チケット選択画面、マイマップ、現場マップを生成し、表示部２５に表示させる。
チケットコード入力部２１２は、入力部２４を介してチケットコードの入力を受け付ける。チケットコード入力部２１２は、通信部２６を介して、入力されたチケットコード及び現場ＩＤといった関連する情報をサーバ装置１０に送信する。具体的には、チケットコード入力部２１２は、端末情報記憶部２３１が記憶する情報とチケットコードとを送信する。
【００４１】
チケット登録部２１３は、チケットコード入力部２１２に入力されたチケットコードが正しい場合に、入力されたチケットコードを作業チケット記憶部２３２に記憶させる。
登録通知受信部２１５は、通信部２６を介して、サーバ装置１０からチケットコードの登録の可否を示す登録通知を受信する。登録通知の内容が、チケットコードが登録されたというものであった場合、登録されたという情報をチケット記憶部２３１に格納する。
【００４２】
位置特定部２１６は、ＧＮＳＳ信号、無線ＬＡＮ信号、またはその他の信号に基づいて自装置の位置を特定する。
位置情報送信部２１７は、位置特定部２１６が特定した位置を示す位置情報と端末ＩＤとを通信部２６を介してサーバ装置１０に送信する。
【００４３】
マップ要求入力部２１８は、入力部２４を介して利用者から表示すべきマップの種別（現場マップまたはマイマップ）の入力を受け付ける。また、マップ要求入力部２１８は、ＨＴＴＰリクエストで、要求するマップの種別と端末ＩＤとを含むマップ要求の入力を受け付けてもよい。例えば、親端末でない通信端末２０を用いて、当該親端末のマイマップを閲覧したい場合、ＨＴＴＰリクエストによりマップ要求を入力することにより、親端末の端末ＩＤを指定することができる。
【００４４】
マップ要求送信部２１９は、マップ要求入力部２１８に入力された情報に基づいて、マップの種別と端末ＩＤとを含むマップ要求をサーバ装置１０に送信する。
マッピング情報受信部２２０は、サーバ装置１０からマッピング情報を受信する。
メッセージ送受信部２２１は、サーバ装置１０を介して、同一の施工現場に属する他の通信端末２０との間でメッセージを送受信する。
【００４５】
《動作》
ここで、第１の実施形態に係る施工管理システム１による施工管理方法について説明する。
図５は、第１の実施形態に係るサーバ装置による作業チケット発行処理を示すフローチャートである。
サーバ装置１０は、利用者の操作により作業チケット発行処理を開始する。例えば、サーバ装置１０は、管理者Ｍ３の通信端末２０−３、通信端末２０−４から作業チケット発行処理のリクエストを受け付けてもよい。なお、管理者Ｍ３は、これから施工を開始するにあたり、建設機械Ｍ１の作業者および運搬車Ｍ２の作業者を決定する段階において、作業チケットのリクエストを送信する。
【００４６】
サーバ装置１０が作業チケット発行処理を開始すると、チケット管理部１１２は、利用者から作業チケットの情報（現場ＩＤ、作業種別、作業種別ごとのチケット枚数、および有効期限）の入力を受け付ける（ステップＳ１０１）。チケット管理部１１２は、作業チケットの情報の入力を受け付けると、作業チケット記憶部１３４が記憶するチケットコードを参照し、チケットコードを生成する（ステップＳ１０２）。
【００４７】
次に、チケット管理部１１２は、生成したチケットコードを出力する（ステップＳ１０３）。例えば、管理者Ｍ３の通信端末２０−３から作業チケット発行処理のリクエストを受け付けた場合、チケット管理部１１２は、リクエストの送信元の通信端末２０−３または通信端末２０−４にチケットコードを送信し、通信端末２０−３または通信端末２０−４における表示部２５に作業種別ごとのチケットコード（建設機械用チケットコードおよび運搬車用チケットコード）を表示させる。
【００４８】
次に、チケット管理部１１２は、ステップＳ１０２で生成したチケットコードと、ステップＳ１０１で入力された情報とを関連付けて作業チケット記憶部１３４に記憶させる（ステップＳ１０４）。これにより、サーバ装置１０は、作業情報を示すチケットを発行することができる。チケットが発行されると、施工現場の管理者Ｍ３は、建設機械用チケットコードおよび運搬車用チケットコードを、それぞれ施工現場において建設機械Ｍ１にて作業をする作業者と運搬車Ｍ２にて作業をする作業者に提示する。チケットコードの提示は、例えば口頭での通知、電子メールによる提示などの方法によりなされる。
【００４９】
図６は、第１の実施形態に係る施工管理システムによる作業チケット取得時の処理を示すシーケンス図である。
建設機械Ｍ１の作業者または運搬車Ｍ２の作業者の操作により、通信端末２０−１、通信端末２０−２が作業チケットコードの入力モードに遷移すると、表示制御部２１１は、表示部２５に作業チケットコードの入力画面を表示させる（ステップＳ２０１）。作業チケットコードの入力画面には、チケットコードの入力を受け付けるテキストボックスが含まれる。
【００５０】
次に、チケットコード入力部２１２は、入力部２４を介してチケットコードの入力を受け付ける（ステップＳ２０２）。利用者は、施工現場の管理者Ｍ３から提示されたチケットコードを通信端末２０に入力する。チケットコードが入力されると、チケットコード入力部２１２は、入力されたチケットコードと端末ＩＤとを、通信部２６を介してサーバ装置１０に送信する（ステップＳ２０３）。
【００５１】
サーバ装置１０のチケット管理部１１２は、通信端末２０−１、通信端末２０−２からチケットコードを受信すると（ステップＳ２０４）、受信したチケットコードと作業チケット記憶部１３４が記憶するチケットコードとを照合する。そして、チケット管理部１１２は、受信したチケットコードに関連付けられたチケットの情報（現場ＩＤ、チケット枚数、作業種別、端末ＩＤ、有効期限）を作業チケット記憶部１３４から取得する（ステップＳ２０５）。
【００５２】
次に、チケット管理部１１２は、取得した情報に含まれる端末ＩＤの数が、当該チケットの情報に含まれるチケット枚数未満であるか否かを判定する（ステップＳ２０６）。端末ＩＤの数がチケット枚数未満でない場合（ステップＳ２０６：ＮＯ）、登録通知送信部１１４は、登録の失敗を示す登録通知を通信端末２０に送信する（ステップＳ２０７）。
【００５３】
他方、端末ＩＤの数がチケット枚数未満である場合（ステップＳ２０６：ＹＥＳ）、チケット管理部１１２は、チケットコードと併せて送信される端末ＩＤを、送信されるチケットコードに関連付けて記憶させる（ステップＳ２０８）。登録通知送信部１１４は、登録の成功を示す登録通知を通信端末２０に送信する（ステップＳ２０９）。登録の成功を示す登録通知には、チケットコード、現場ＩＤ、作業種別および有効期限が含まれる。
【００５４】
通信端末２０の登録通知受信部２１５は、サーバ装置１０から登録通知を受信すると（ステップＳ２１０）、登録通知が登録の成功を示すか否かを判定する（ステップＳ２１１）。登録通知が登録の成功を示す場合（ステップＳ２１１：ＹＥＳ）、表示制御部２１１は、ステップＳ２０２で入力したチケットの登録に成功した旨を表示部２５に表示させる（ステップＳ２１２）。そして、チケット登録部２１３は、作業チケット記憶部２３２に、ステップＳ２０９で受信した情報を記憶させる。
【００５５】
他方、登録通知が登録の失敗を示す場合（ステップＳ２１１：ＮＯ）、表示制御部２１１は、ステップＳ２０２で入力したチケットの登録に失敗したことを表示部２５に表示させる（ステップＳ２１３）。これにより、施工管理システム１は、チケット枚数の範囲内で、作業チケットと通信端末２０とを関連付けることができる。
【００５６】
それにより、所定の現場ＩＤにより規定された施工現場に、建設機械Ｍ１に備えられる通信端末２０−１、運搬車Ｍ２に備えられる通信端末２０−２、管理者Ｍ３が用いる通信端末２０−３および通信端末２０−４を関連付けることができ、それぞれの通信端末２０において図２に示したマップを表示したり、通信端末２０間においてメッセージの送受信を行ったりすることができる。
【００５７】
図７は、第１の実施形態に係るサーバ装置によるマイマップに関するマップチケット発行処理を示すフローチャートである。
マイマップとは、現場にて何れかの作業に携わる作業者（建設機械Ｍ１のオペレータ、運搬車Ｍ２のオペレータ、管理者Ｍ３など）が、同一の施工現場か否かに関わらず、所定の作業者の現在位置を把握したり、簡易にメッセージを送信したい場合に用いる関連付けの手法である。例えば、多数の運搬車Ｍ２を保有する事業者であれば、複数の施工現場にそれぞれ複数台の運搬車Ｍ２を派遣する場合があり、その事業者が各施工現場に配置された自社の運搬車Ｍ２がそれぞれどこに位置しているのかを把握するのに有用である。
【００５８】
マイマップは、作業者固有のグループを作成し、そのグループに関連付けられた作業者の位置を把握させることができる。そして、マイマップに別の作業者を関連付けようとする場合に、以下のようにチケットを用いて関連付けを行う。
【００５９】
サーバ装置１０は、マイマップを作成しようとする利用者の操作により通信端末２０からマップチケット発行処理のリクエストを受け付ける。ここでの利用者は、管理者Ｍ３であってもよいし、建設機械Ｍ１の作業者または運搬車Ｍ２の作業者であってもよい。サーバ装置１０がマップチケット発行処理を開始すると、チケット管理部１１２は、利用者からマップチケットの情報、例えばマップチケットの有効期限、端末ＩＤ、その他利用者に関する情報の入力を受け付ける（ステップＳ１５１）。チケット管理部１１２は、マップチケットの情報の入力を受け付けると、チケットコードを生成する（ステップＳ１５２）。
【００６０】
次に、チケット管理部１１２は、マップチケット発行処理のリクエストの送信元の通信端末２０にチケットコードを送信し（ステップＳ１５３）、通信端末２０における表示部２５にチケットコードを表示させる。次に、チケット管理部１１２は、ステップＳ１５２で生成したチケットコードと、ステップＳ１５１で入力された有効期限と、リクエストの送信元の通信端末２０の端末ＩＤとを関連付けてマップチケット記憶部１３３に記憶させる（ステップＳ１５４）。
【００６１】
これにより、サーバ装置１０は、マイマップに位置情報を表示させる通信端末２０を追加するためのチケットを発行することができる。チケットが発行されると、利用者は、当該チケットのチケットコードをマイマップに位置情報を追加したい他の利用者に提示する。チケットコードの提示は、例えば口頭での通知、電子メールによる提示などの方法によりなされる。
【００６２】
図８は、第１の実施形態に係る施工管理システムによるマイマップに関するマップチケット入力時の処理を示すシーケンス図である。
マイマップを生成しようとする利用者とは別の利用者の操作により、通信端末２０がマップチケットの入力モードに遷移すると、表示制御部２１１は、表示部２５にマップチケットの入力画面を表示させる（ステップＳ２５１）。次に、チケットコード入力部２１２は、入力部２４を介してチケットコードの入力を受け付ける（ステップＳ２５２）。チケットコードが入力されると、チケットコード入力部２１２は、入力されたチケットコードと端末ＩＤを、通信部２６を介してサーバ装置１０に送信する（ステップＳ２５３）。
【００６３】
サーバ装置１０のチケットコード受信部１１３は、通信端末２０からチケットコードを受信すると（ステップＳ２５４）、マップチケット記憶部１３３が記憶するチケットコードと、受信したチケットコードとを照会する（ステップＳ２５５）。次に、チケット管理部１１２は、チケットコードと併せて送信される端末ＩＤを、チケットコードに関連付けてマップチケット記憶部１３３に記憶させる（ステップＳ２５６）。これにより、施工管理システム１は、マップチケットと通信端末２０とを関連付けることができる。
【００６４】
図９は、第１の実施形態に係る施工管理システムによる位置情報更新処理を示すシーケンス図である。
通信端末２０は、定期的に位置情報および端末ＩＤをサーバ装置１０に送信する位置通知処理を実行する。通信端末２０が位置通知処理を開始すると、位置特定部２１６は、ＧＮＳＳ信号などに基づいて自端末の現在位置を特定する（ステップＳ４０１）。次に、位置情報送信部２１７は、特定した現在位置を示す位置情報と端末ＩＤとをサーバ装置１０に送信する（ステップＳ４０２）。
【００６５】
サーバ装置１０の情報収集部１１１は、通信端末２０から位置情報と端末ＩＤとを受信すると（ステップＳ４０３）、端末情報記憶部１３１が記憶する、受信した端末ＩＤに関連付けられた位置情報を、受信した位置情報に基づいて更新する（ステップＳ４０４）。これにより、サーバ装置１０において通信端末２０の位置情報および端末情報が定期的に更新される。
【００６６】
図１０は、第１の実施形態に係る施工管理システムによる地図画像の表示処理を示すシーケンス図である。
利用者の操作により、通信端末２０が地図画像の表示モードに切り替わると、マップ要求入力部２１８は、表示すべきマップの種別（現場マップまたはマイマップ）の入力を受け付ける（ステップＳ５０１）。マップの種別が入力されると、マップ要求送信部２１９は、入力されたマップ種別と端末ＩＤとを含むマップ要求をサーバ装置１０に送信する（ステップＳ５０２）。
【００６７】
サーバ装置１０のマップ要求受信部１１５は、通信端末２０からマップ要求を受信すると（ステップＳ５０３）、当該マップ要求に含まれる種別が現場マップであるか否かを判定する（ステップＳ５０４）。マップの種別が現場マップである場合（ステップＳ５０４：ＹＥＳ）、マップ要求受信部は、作業チケット記憶部１３４において、当該マップ要求に含まれる端末ＩＤに関連付けられた現場ＩＤを特定する（ステップＳ５０５）。
【００６８】
次に、マッピング情報生成部１１６は、作業チケット記憶部１３４から特定した現場ＩＤと同じ現場ＩＤに関連付けられ、かつ有効期限が現在時刻以降の日付を示すものに関連付けられた端末ＩＤを特定する（ステップＳ５０６）。
【００６９】
他方、マップの種別がマイマップである場合（ステップＳ５０４：ＮＯ）、マッピング情報生成部１１６は、マップチケット記憶部１３３において、マップ要求を送信している通信端末２０の端末ＩＤ、および当該マップ要求に含まれる端末ＩＤを親端末ＩＤとして、かつ有効期限が現在時刻以降の日付を示すものに関連付けられた子端末ＩＤを特定する（ステップＳ５０７）。
【００７０】
マッピング情報生成部１１６は、ステップＳ５０６またはステップＳ５０７で端末ＩＤを特定すると、特定した端末ＩＤに関連付けられた位置情報を、端末情報記憶部１３１から読み出す（ステップＳ５０８）。そして、読み出した位置情報を、特定した端末ＩＤとともにマッピング情報として通信端末２０に送信する（ステップＳ５０９）。なお、マップ要求が現場マップである場合、マッピング情報生成部１１６は、現場情報記憶部１３２が記憶する積込場所Ｐ１および荷卸場所Ｐ２の位置情報をマッピング情報に含める。
【００７１】
通信端末２０のマッピング情報受信部２２０がサーバ装置１０からマッピング情報を受信すると（ステップＳ５１０）、表示制御部２１１は、受信したマッピング情報が示す位置情報とマップ記憶部２３３が記憶する背景地図画像とを合成することで、地図画像Ｄを生成する（ステップＳ５１１）。そして、表示制御部２１１は、生成した地図画像Ｄを表示部２５に表示させる（ステップＳ５１２）。
【００７２】
このように、第１の実施形態によれば、施工管理システム１は、マップの種別として現場マップを選択することで、同じ施工現場で稼働する複数の建設機械Ｍ１および運搬車Ｍ２の位置情報を表示することができる。また、第１の実施形態によれば、施工管理システム１は、マップの種別としてマイマップを選択することで、任意の建設機械Ｍ１および運搬車Ｍ２の位置情報を表示することができる。例えば、マイマップに、同じ事業者に係る車両を関連付けておくことで、同じ事業者の車両の位置情報を表示することができる。
【００７３】
図１１は、第１の実施形態に係る施工管理システムによる個別メッセージの送受信処理を示すシーケンス図である。
通信端末２０は、利用者の操作により、メッセージの入力モードに切り替わると、メッセージ送受信部２２１は、メッセージ及びその送信先の端末ＩＤ等の端末情報の入力を受け付ける（ステップＳ６０１）。メッセージが入力されると、メッセージ送受信部２２１は、入力されたメッセージに送信元の端末ＩＤ、送信先の端末ＩＤを関連付けてサーバ装置１０に送信する（ステップＳ６０２）。
【００７４】
サーバ装置１０のメッセージ管理部１１８は、通信端末２０からメッセージを受信すると（ステップＳ６０３）、受信した送信先の端末ＩＤを特定する（ステップＳ６０４）。メッセージ管理部１１８は、ステップＳ６０３で受信したメッセージを特定した端末ＩＤが示す通信端末２０に送信する（ステップＳ６０５）。
【００７５】
図１３は、第１の実施形態に係る施工管理システムによる同報メッセージの送受信処理を示すシーケンス図である。
通信端末２０は、利用者の操作により、メッセージの入力モードに切り替わると、メッセージ送受信部２２１は、メッセージの入力を受け付ける（ステップＳ７０１）。メッセージが入力されると、メッセージ送受信部２２１は、入力されたメッセージに自装置の端末ＩＤを関連付けてサーバ装置１０に送信する（ステップＳ７０２）。
【００７６】
サーバ装置１０のメッセージ管理部１１８は、通信端末２０（第１の通信端末）からメッセージを受信すると（ステップＳ７０３）、作業チケット記憶部１３４において、メッセージに関連付けられた端末ＩＤに関連付けられた現場ＩＤを特定する（ステップＳ７０４）。作業チケット記憶部１３４において、メッセージに関連付けられた端末ＩＤに係るチケットは、第１の通信端末によって取得された第１のチケットの一例である。
【００７７】
次に、メッセージ管理部１１８は、作業チケット記憶部１３４から特定した現場ＩＤと同じ現場ＩＤに関連付けられた端末ＩＤを特定する（ステップＳ７０５）。作業チケット記憶部１３４において、特定した現場ＩＤと同じ現場ＩＤに関連付けられたチケットは、第２のチケットの一例である。メッセージ管理部１１８は、ステップＳ７０３で受信したメッセージを特定した端末ＩＤが示す通信端末２０（第２の通信端末）に送信する（ステップＳ７０６）。これにより、作業者は、同一の施工現場で作業する他の作業者に容易にメッセージを送信することができる。
【００７８】
《作用・効果》
このように、第１の実施形態によれば、施工管理システム１は、施工現場に関する作業を示す作業チケットを発行し、同一の施工現場に関する作業チケットを選択したそれぞれの通信端末２０の位置情報を出力する。これにより、自己の管理下にあるか否かに関わらず、同一の施工現場で作業する複数の作業機械の位置情報を確認することができる。
【００７９】
つまり、同一の施工現場において、他者の管理下にある作業機械が作業を行う場合、当該他者にチケットコードを入力させることで、同一の施工現場で稼働する作業機械の情報を集約することができる。関連する分野の管理システムにおいては、自己の管理下にない作業機械について位置情報を取得する場合には、他者にアカウントを発行する必要があり、多くの手間が生じていた。これに対し、第１の実施形態によれば、簡易な操作により、同一の施工現場で作業する複数の作業機械の位置情報を確認することができる。特に、第１の実施形態によれば、サーバ装置１０は、建設機械Ｍ１が備える通信端末２０に、運搬車Ｍ２が備える通信端末２０の位置情報を出力する。これにより、建設機械Ｍ１の操縦者は、運搬車Ｍ２が積込場所または荷卸場所に到着する時刻を推測することができ、積込または荷卸の事前準備を行うことができる。
【００８０】
また第１の実施形態によれば、サーバ装置１０は、作業チケットを取得したそれぞれの通信端末２０の位置情報と、積込場所および荷卸場所の位置情報とを出力する。これにより、作業者は、通信端末２０を備える作業機械の位置と積込場所および荷卸場所との位置関係を認識することができる。なお、他の実施形態においては、これに限られず、サーバ装置１０は、積込場所および荷卸場所の位置情報を出力せずに、通信端末２０の位置情報のみを出力してもよい。
【００８１】
なお、第１の実施形態では、作業チケットによって同一の施工現場に関連付けられたすべての通信端末２０の位置情報を、当該施工現場に関連付けられたすべての通信端末２０に送信するが、これに限られない。例えば、サーバ装置１０は、建設機械Ｍ１が備える通信端末２０にのみ、通信端末２０の位置情報を出力してもよい。また例えば、サーバ装置１０は、運搬車Ｍ２が備える通信端末２０の位置情報のみを出力してもよい。
【００８２】
また、第１の実施形態によれば、施工管理システム１は、マップチケットを発行し、同一のグループに関するマップチケットを選択したそれぞれの通信端末２０の位置情報をマイマップとして出力する。これにより、利用者の任意により建設機械Ｍ１および運搬車Ｍ２の位置情報を表示することができる。例えば、マイマップに、同じ事業者に係る車両を関連付けておくことで、同じ事業者の車両の位置情報を表示することができる。
【００８３】
また第１の実施形態によれば、サーバ装置１０は、通信端末２０からメッセージを受信し、当該通信端末２０が取得したチケットと同一の施工現場に関連付けられたチケットを取得した他の通信端末２０にメッセージを送信する。これにより、作業者は、同一の施工現場で作業をする他の作業者と容易にコンタクトをとることができる。なお、他の実施形態においては、これに限られない。例えば、他の実施形態に係る施工管理システム１は、メッセージ機能を有しなくてもよい。
【００８４】
〈他の実施形態〉
以上、図面を参照して一実施形態について詳しく説明してきたが、具体的な構成は上述のものに限られることはなく、様々な設計変更等をすることが可能である。
例えば、第１の実施形態に係る施工管理システム１は、チケットを発行する際、チケットコードを自動で生成するが、これに限られない。例えば、他の実施形態に係る施工管理システム１は、利用者からチケットコードの入力を受け付けるものであってもよい。
【００８５】
また、第１の実施形態に係る通信端末２０は、作業チケット記憶部２３２に複数のチケットの情報を記憶することができるが、これに限られない。例えば、他の実施形態に係る通信端末２０は、実際に従事する作業に係る１つのチケットのチケットコードの入力のみを受け付けるものであってもよい。この場合、作業チケット記憶部２３２には０または１つのチケットの情報が記録される。
【００８６】
また、第１の実施形態に係る施工管理システム１は、現場マップ機能とマイマップ機能の両方を有するが、これに限られない。例えば、他の実施形態に係る施工管理システム１は、現場マップ機能とマイマップ機能の何れか一方のみの機能を有するものであってもよい。
【００８７】
また、第１の実施形態に係る施工管理システム１は、サーバ装置１０においてマップ要求の送信元の通信端末２０に、施工現場に関連付けられた各通信端末２０の位置情報を送信し、マップ要求の送信元の通信端末２０が地図画像を生成するが、これに限られない。例えば、他の実施形態に係る施工管理システム１は、サーバ装置１０が地図画像を生成し、生成した地図画像をマップ要求の送信元の通信端末２０に送信するものであってもよい。
【００８８】
また、第１の実施形態に係る施工管理システム１は、親端末ごとにマイマップを生成するものであるが、これに限られない。例えば、他の実施形態に係る施工管理システム１は、任意の通信端末２０により構成されるグループを生成し、そのグループのメンバーが所有する通信端末２０がマイマップのマップ要求をサーバ装置１０に行った場合、グループのメンバーが所有する各通信端末２０の位置情報に基づいた地図画像（マイマップ）を作成し、マップ要求の送信元の通信端末２０において表示できるものであってもよい。
【００８９】
また、第１の実施形態に係る施工管理システム１は、サーバ装置１０が管理装置として機能するが、これに限られない。例えば、他の実施形態に係る施工管理システム１は、通信端末２０が管理装置として機能するものであってもよい。つまり、建設機械Ｍ１に備えられる通信端末２０−１、運搬車Ｍ２に備えられる通信端末２０−２、管理者Ｍ３が用いる通信端末２０−３または通信端末２０−４が、チケット発行部と位置情報取得部と出力部とを備えるものであってもよい。この場合、通信端末２０は、チケット管理部１１２、マップ要求受信部１１５、マッピング情報生成部１１６、マッピング情報送信部１１７を備えてもよい。そして、位置特定部２１６が位置情報取得部の一例であり、チケット管理部１１２がチケット発行部の一例であり、マッピング情報送信部１１７が出力部の一例となる。
【符号の説明】
【００９０】
１…施工管理システム  １０…サーバ装置  ２０…通信端末  １３１…端末情報記憶部  １３２…現場情報記憶部  １３３…マップチケット記憶部  １３４…作業チケット記憶部  １１１…情報収集部  １１２…チケット管理部  １１３…チケットコード受信部  １１４…登録通知送信部  １１５…マップ要求受信部  １１６…マッピング情報生成部  １１７…マッピング情報送信部  １１８…メッセージ管理部  ２３１…端末情報記憶部  ２３２…作業チケット記憶部  ２３３…マップ記憶部  ２１１…表示制御部  ２１２…チケットコード入力部  ２１３…チケット選択部  ２１５…登録通知受信部  ２１６…位置特定部  ２１７…位置情報送信部  ２１８…マップ要求入力部  ２１９…マップ要求送信部  ２２０…マッピング情報受信部  ２２１…メッセージ送受信部
【図１】
2018026073.tif 000003
【図２】
2018026073.tif 000004
【図３】
2018026073.tif 000005
【図４】
2018026073.tif 000006
【図５】
2018026073.tif 000007
【図６】
2018026073.tif 000008
【図７】
2018026073.tif 000009
【図８】
2018026073.tif 000010
【図９】
2018026073.tif 000011
【図１０】
2018026073.tif 000012
【図１１】
2018026073.tif 000013